(57)【要約】【課題】インパネと空調用ダクトとを持ち、空調用ダクトの質量増大を抑制しつつ、空調用ダクトによってインパネを補強できるダクト構造体を提供すること。【解決手段】空調用ダクト２のダクト本体４の内部にダクト本体４よりも剛性の高い補強体３を配置し、補強体３によりインパネ１を補強する。【選択図】図２
2011068202.tif 000002
【特許請求の範囲】
【請求項１】
車両用インストルメントパネルと該インストルメントパネルの裏面側に配置されている空調用ダクトと、を持つダクト構造体であって、
該空調用ダクトは、
該インストルメントパネルに対面する第１ダクト壁部と、該第１ダクト壁部と離間しつつ該第１ダクト壁部に対面する第２ダクト壁部と、を持ち筒状をなすダクト本体と、
該第１ダクト壁部に対面する第１受圧壁部と、該第２ダクト壁部に対面する第２受圧壁部と、該第１受圧壁部と該第２受圧壁部とに一体化されている少なくとも１つの補強壁部と、を持ち、ダクト本体の内部に配置され、該ダクト本体よりも剛性の高い補強体と、を持つことを特徴とするダクト構造体。
【請求項２】
前記補強体は、前記ダクト本体の材料よりも剛性の高い材料からなる請求項１に記載のダクト構造体。
【請求項３】
前記補強体は、前記ダクト本体よりも厚肉である請求項１または請求項２に記載のダクト構造体。
【請求項４】
前記補強壁部は前記第１受圧壁部と直交する方向に延びる請求項１〜請求項３の何れか一つに記載のダクト構造体。
【請求項５】
前記補強体は１つのみの前記補強壁部を持ち、
前記補強壁部は、
前記ダクト本体の軸方向に延び、
該軸方向と直交する方向である幅方向において、前記第１受圧壁部の端部以外の部分に一体化されるとともに、前記第２受圧壁部の端部以外の部分に一体化されている請求項１〜請求項４の何れか一つに記載のダクト構造体。
【請求項６】
前記インストルメントパネルのなかで前記第１受圧壁部に対面する部分は、下方に突起するリブを持つ請求項１〜請求項５の何れか一つに記載のダクト構造体。
【発明の詳細な説明】
【技術分野】
【０００１】
本発明は、車両に配設されるダクト構造体に関し、詳しくはインストルメントパネルと、その下方に配置される空調用ダクトと、を持つダクト構造体に関する。
【背景技術】
【０００２】
近年、燃費を向上するために、車両の軽量化が望まれている。車両に配設されているインストルメントパネル（以下、単にインパネと略する）に関しても、軽量化のために薄型のものが望まれている。薄型のインパネは、厚型のインパネに比べて剛性が低い。このため、例えばユーザーがインパネに勢いよく手をつき体重をかけた場合などには、インパネが変形するおそれがある。したがってインパネの強度向上のため、インパネを補強する種々の技術が提案されている。
【０００３】
特許文献１には、インパネ下方に配置されている空調用ダクトの一部をインパネの下面（裏面）に溶着することで、空調用ダクトによってインパネを補強する技術が紹介されている。
【０００４】
ところで、一般に、インストルメントパネルの下方には様々な装置や部材（例えば空調用ダクトや、カーステレオやカーナビゲーションシステムおよびその配線等）が配設される。このため、インストルメントパネルの下方における空調用ダクトの配設スペースは限られており、空調用ダクトの形状の自由度は低い。例えば、インパネの下方に配置される他の構造体との関係で空調用ダクトのための上下方向の配設スペースが小さい場合には、空調用ダクトを薄型（上下方向の長さの短い形状）にする必要がある。この場合、空調用ダクトの流路断面積を充分な大きさにするために、空調用ダクトの幅方向の長さ（軸方向に直交する方向の長さ）は、上下方向の長さに対して非常に長くなる。幅方向の長さが長ければ長いほど、空調用ダクト自体の剛性が低下するため、空調用ダクトによってインパネを充分に補強し難くなる。
【０００５】
空調用ダクトを厚肉にすれば、空調用ダクトの剛性が向上するために、薄型の空調用ダクトによってもインパネを補強できると考えられる。しかしこの場合には、空調用ダクトの質量が大きくなり、上述した車両の軽量化に反する問題がある。
【先行技術文献】
【特許文献】
【０００６】
【特許文献１】特開２００１−３０１４９０号公報
【発明の概要】
【発明が解決しようとする課題】
【０００７】
本発明は上記事情に鑑みてなされたものであり、インパネと空調用ダクトとを持ち、空調用ダクトによってインパネを補強できかつ空調用ダクトの質量増大を抑制できるダクト構造体を提供することを目的とする。
【課題を解決するための手段】
【０００８】
上記課題を解決する本発明のダクト構造体は、車両用インストルメントパネルと該インストルメントパネルの裏面側に配置されている空調用ダクトと、を持つダクト構造体であって、該空調用ダクトは、該インストルメントパネルに対面する第１ダクト壁部と、該第１ダクト壁部と離間しつつ該第１ダクト壁部に対面する第２ダクト壁部と、を持ち筒状をなすダクト本体と、該第１ダクト壁部に対面する第１受圧壁部と、該第２ダクト壁部に対面する第２受圧壁部と、該第１受圧壁部と該第２受圧壁部とに一体化されている少なくとも１つの補強壁部と、を持ち、ダクト本体の内部に配置され、該ダクト本体よりも剛性の高い補強体と、を持つことを特徴とする。
【０００９】
本発明のダクト構造体は、下記の（１）〜（５）の何れかを備えるのが好ましく、（１）〜（５）の複数を備えるのがより好ましい。
【００１０】
（１）前記補強体は、前記ダクト本体の材料よりも剛性の高い材料からなる。
【００１１】
（２）前記補強体は、前記ダクト本体よりも厚肉である。
【００１２】
（３）前記補強壁部は前記第１受圧壁部と直交する方向に延びる。
【００１３】
（４）前記補強体は１つのみの前記補強壁部を持ち、前記補強壁部は、前記ダクト本体の軸方向に延び、該軸方向と直交する方向である幅方向において、前記第１受圧壁部の端部以外の部分に一体化されるとともに、前記第２受圧壁部の端部以外の部分に一体化されている。
【００１４】
（５）前記インストルメントパネルのなかで前記第１受圧壁部に対面する部分は、下方に突起するリブを持つ。
【発明の効果】
【００１５】
本発明のダクト構造体における空調用ダクトは、ダクト本体と補強体とを持つ。補強体は、ダクト本体よりも高剛性である。また、補強体はダクト本体の内部に配置されているためダクト本体よりも小型であるため、剛性に優れる。このため、本発明のダクト構造体は、補強体によってインパネを補強できる。また、補強体によってインパネを補強することで、ダクト本体を厚肉にしなくてもよくなり、空調用ダクトの質量増大を抑制できる。
【００１６】
上記（１）〜（２）を備える本発明のダクト構造体における補強体は高剛性であり、インパネを補強できる。
【００１７】
上記（３）を備える本発明のダクト構造体において、補強体の補強壁部は、第１受圧壁部に入力される力に対して平行な方向（または平行だと考えられる方向）に配置される。このため、上記（３）を備える本発明のダクト構造体によると、インパネ→ダクト本体の第１壁部→補強体の第１受圧壁部の順に伝達し補強壁部に作用した力による補強壁部の変形を抑制できる。このため補強壁部は、比較的大きな加重に耐えることができる。よって、上記（３）を備える本発明のダクト構造体によると、補強体によってインパネを信頼性高く補強できる。
【００１８】
上記（４）を備える本発明のダクト構造体によると、補強体の補強壁部を１つのみにしたことで、補強体をさらに軽量化できる。また、補強壁部を補強体の幅方向の端部を避けた場所に配置したことで、第１受圧壁部および第２受圧壁部の変形を抑制できる。このため補強体は、軽量でありかつ比較的大きな加重に耐えることができる。よって、上記（４）を備える本発明のダクト構造体によると、空調用ダクトの質量増大を抑制でき、かつ、インパネを信頼性高く補強できる。
【００１９】
上記（５）を備える本発明のダクト構造体によると、インパネに加わった加重を補強体に効率良く伝達できる。このため、補強体によってインパネを信頼性高く補強できる。
【図面の簡単な説明】
【００２０】
【図１】実施例１のダクト構造体における一方の空調用ダクトを模式的に表す斜視図である。
【図２】実施例１のダクト構造体を図１中Ａ−Ａ位置に相当する位置で切断した様子を模式的に表す断面図である。
【図３】実施例１のダクト構造体を図１中Ｂ−Ｂ位置に相当する位置で切断した様子を模式的に表す断面図である。
【図４】実施例２のダクト構造体を図３と同位置で切断した様子を模式的に表す断面図である。
【図５】実施例３のダクト構造体を図３と同位置で切断した様子を模式的に表す断面図である。
【発明を実施するための形態】
【００２１】
本発明のダクト構造体は、インパネと空調用ダクトとを持てば良く、インパネおよび空調用ダクトの個数は特に問わない。また、その他の装置や部材の一部または全体を持っても良い。空調用ダクトは、空調装置に接続され、空調装置から車室内への空調空気の流路となる部材である。車両に搭載されインパネの裏面側に配置される空調用ダクトとしては、サイドベントダクトやセンタベントダクト、デフダクトが挙げられる。
【００２２】
なお、サイドベントダクトは、空調装置とサイドレジスタとを接続するダクトである。センタベントダクトは、空調装置とセンタレジスタとを接続するダクトである。デフダクトは、空調装置とデフロスタとを接続するダクトである。これらのダクトは、空調装置に直接接続されても良いし、他のダクトを介して間接的に接続されても良い。レジスタは、空調空気の車室内への吹き出し口を構成するとともに車室内に向けた空調空気の吹き出し方向（風向）調整する部材である。サイドレジスタはインパネにおける車幅方向の２端部にそれぞれ取り付けられているレジスタであり、センタレジスタはインパネにおける車幅方向の略中央部に取り付けられているレジスタである。デフロスタはインパネにおける車両進行方向の先側（車両前側）に取り付けられ、フロントガラスに向けた空調空気の吹き出し口を構成する部材である。
【００２３】
なお、本願のダクト構造体が、空調装置に接続されているダクト（すなわち上述したサイドベントダクト、センタベントダクト、デフロスタ）を２個以上持つ場合、全てのダクトが補強体を持っても良いし、一部のダクトのみが補強体を持っても良い。この場合、補強体を持つダクトが本発明における空調用ダクトに相当する。
【００２４】
補強体の剛性は、ダクト本体の剛性よりも高ければ良い。例えば、補強体を厚肉にしたり、補強体の材料をダクト本体の材料よりも剛性の高い材料にすることで、補強体の剛性をダクト本体の剛性よりも高めることができる。ダクト本体を樹脂製にする場合には、例えば補強体の材料として、アルミニウム、マグネシウム、鉄、鉄合金（ステンレススチールを含む）から選ばれる少なくとも一種の材料を選択するのが好ましい。これらの材料は高剛性かつ軽量であるためである。
【実施例】
【００２５】
以下、図面を基に、本発明のダクト構造体を説明する。
【００２６】
（実施例１）
実施例１のダクト構造体は、１つのインパネと２つの空調用ダクトとを持つ。実施例１のダクト構造体における一方の空調用ダクトを模式的に表す斜視図を図１に示す。実施例１のダクト構造体を図１中Ａ−Ａ位置に相当する位置で切断した様子を模式的に表す断面図を図２に示す。実施例１のダクト構造体を図１中Ｂ−Ｂ位置に相当する位置で切断した様子を模式的に表す断面図を図３に示す。以下、上、下、左、右、前、後とは図１に示す上、下、左、右、前、後を指す。車幅方向とは図１中左右方向を指し、車両進行方向とは図１中前後方向を指す。空調用ダクトの高さ方向とは図１中上下方向を指す。なお、空調用ダクトの幅方向は空調用ダクトの軸線方向（および上下方向）に交差する方向であり、図１中前後方向とほぼ同じ方向である。
【００２７】
実施例１のダクト構造体は、インパネ１と、２つのサイドベントダクト２とを持つ。一方のサイドベントダクト２である第１サイドベントダクト（図１に示す）は、インパネ１の右側に取り付けられているサイドレジスタ（図略）と後述する分岐ダクト（図略）とに接続されている。他方のサイドベントダクト２である第２サイドベントダクト（図略）は、インパネ１の左側に取り付けられているサイドレジスタ（図略）と分岐ダクト（図略）とに接続されている。分岐ダクトは、図略の空調装置に接続されている。第１サイドベントダクトおよび第２サイドベントダクトは、それぞれ、補強体３を持つ。したがって、２つのサイドベントダクト２は本発明における空調用ダクトに相当する。以下、第１サイドベントダクトと第２サイドベントダクトとを総称して空調用ダクト２と呼ぶ。第１サイドベントダクトと第２サイドベントダクトとは左右対称な形状をなす。
【００２８】
図２および図３に示すように、各空調用ダクト２はインパネ１の裏面（下面）と空調装置（図略）のブラケット８との間に配置されている。インパネ１は樹脂製であり、略板状をなす。インパネ１の上面（表面）は車室内に露出している。インパネ１の左側部分と右側部分とに、それぞれ、下方に突起し前後方向に延びる２つのリブ１０が形成されている。
【００２９】
各空調用ダクト２はダクト本体４と補強体３とを持つ。ダクト本体４は樹脂製であり略角筒状をなす。ダクト本体４の高さ（上下方向の長さ）は、幅（前後方向の長さ）よりも短い。ダクト本体４の肉厚は略一定である。ダクト本体４はブロー成形されてなる。
【００３０】
ダクト本体４は、車両に取り付けられた状態において、概ね左右方向に延びる。各ダクト本体４の一端である第１端部４０は、車幅方向の略中央部に配設されている分岐ダクトを介して空調装置に接続される。各ダクト本体４の他端である第２端部４１はサイドレジスタに接続される。
【００３１】
ダクト本体４の上壁（第１ダクト壁部４２）はインパネ１の裏面（下面）に対面する。ダクト本体４の下壁（第２ダクト壁部４３）は、第１ダクト壁部４２と離間するとともに第１ダクト壁部４２に対面する。第１ダクト壁部４２は、第１端部４０の近傍に位置し上方に隆起する部分（第１保持壁部４４）を持つ。第２ダクト壁部４３は、第１端部４０の近傍に位置し下方に隆起する部分（第２保持壁部４５）を持つ。第１保持壁部４４と第２保持壁部４５とは互いに対面している。第１保持壁部４４と第２保持壁部４５との間には、補強体３が挿入保持されている。
【００３２】
補強体３はアルミニウム製であり略角筒状をなす。補強体３は、第１受圧壁部３０と第２受圧壁部３１と、２つの補強壁部３２とを持つ。第１受圧壁部３０は補強体３の上壁であり、第２受圧壁部３１は補強体３の下壁である。補強壁部３２は補強体３の側壁である。第１受圧壁部３０と第２受圧壁部３１とは互いに平行に配置され、かつ、互いに離間している。第１受圧壁部３０はダクト本体４の第１ダクト壁部４２（詳しくは第１保持壁部４４）に対面し、当接している。第２受圧壁部３１はダクト本体４の第２ダクト壁部４３（詳しくは第２保持壁部４５）に対面し、当接している。２つの補強壁部３２は、第１受圧壁部３０および第２受圧壁部３１と直交する方向（上下方向）に延び第１受圧壁部３０と第２受圧壁部３１とに一体化されている。
【００３３】
補強体３の軸方向の長さは空調用ダクト２の軸方向の長さよりもはるかに短い。補強体３の高さ方向の長さは、空調用ダクト２の高さ方向の長さよりも僅かに短い。１受圧壁部の長さおよび第２受圧壁部３１の長さは、空調用ダクト２の幅方向の長さよりも短く、補強体３の幅方向の長さは空調用ダクト２の幅方向の長さよりも短い。なお、実施例１のダクト構造体においては、補強体３の幅方向の長さは空調用ダクト２の幅方向の長さの１／５程度である。補強体３の肉厚（すなわち、第１受圧壁部３０、第２受圧壁部３１、および補強壁部３２の肉厚）は、略一定である。また、補強体３の肉厚はダクト本体４の肉厚よりも大きい。
【００３４】
図２および図３に示すように、補強体３の第１受圧壁部３０は、ダクト本体４の第１ダクト壁部４２（詳しくは第１保持壁部４４）にリベット９で止着されている。第１保持壁部４４の上面には第１のクッション材７０（フェルト）が貼り付けられている。第１のクッション材７０はインパネ１のリブ１０に当接している。したがって、第１のクッション材７０は、インパネ１のリブ１０と第１保持壁部４４との間に介在している。第１のクッション材７０が介在することで、インパネ１と第１保持壁部４４とのガタつきが抑制されている。第２保持壁部４５の下面には第２のクッション材７１（ウレタン）が貼り付けられている。空調装置のブラケット８のなかで第２のクッション材７１に対面する部分には第３のクッション材７２（フェルト）が貼り付けられている。第２のクッション材７１と第３のクッション材７２とは当接している。したがって、第２のクッション材７１および第３のクッション材７２は、第２保持壁部４５と空調装置のブラケット８の間に介在している。第２のクッション材７１および第３のクッション材７２が介在することで、第２保持壁部４５と空調装置のブラケット８とのガタつきが抑制されている。
【００３５】
なお、図示しないが、実施例１のダクト構造体は空調用ダクト２および上述した分岐ダクト以外のダクトを３つ持つ。このうち２つのダクトは、各々、分岐ダクトとセンタレジスタ（図略）とを接続するセンタベントダクトである。他の１つのダクトは、分岐ダクトとデフロスタ（図略）とを接続するデフダクトである。
【００３６】
実施例１のダクト構造体において、インパネ１に作用した力（下方に向けた力）は、インパネ１から空調用ダクト２に伝達する。空調用ダクト２の内部には、剛性に優れる補強体３が配置されている。このため、補強体３はインパネ１に作用した力によっても変形し難く、インパネ１に作用した力を受けることができる。このため実施例１のダクト構造体における空調用ダクト２はインパネ１を補強でき、実施例１のダクト構造体におけるインパネ１は変形し難い。また、補強体３は空調用ダクト２よりも小型であるため、軽量であり、かつ変形し難い。このため、実施例１のダクト構造体によると、空調用ダクトによってインパネを信頼性高く補強でき、かつ、空調用ダクトの質量増大を抑制できる。
【００３７】
なお、インパネ１から空調用ダクト２に伝達した力は、空調用ダクト２の第１保持壁部４４→第１受圧壁部３０→補強壁部３２→第２受圧壁部３１→第２保持壁部４５の順に伝達し、さらに空調装置のブラケット８に伝達する。空調装置のブラケット８は剛性に優れる部材であり変形し難いため、インパネ１に作用し空調用ダクト２に伝達した力を受けることができる。実施例１のダクト構造体においては、空調装置のブラケット８が空調用ダクト２の下方に配置され、空調装置のブラケット８によって空調用ダクト２に伝達した力を受けたが、本発明のダクト構造体における空調用ダクト２は、その他の相手部材の上方に配置することもできる。空調用ダクト２の下方に配置される相手部材としては、例えば、Ａ／Ｃユニット等、剛性に優れるものが好ましい。
【００３８】
上述したように第１保持壁部４４は上方に隆起し第２保持壁部４５は下方に隆起している。このためダクト本体４の内径は、第１保持壁部４４および第２保持壁部４５が形成されている部分において、僅かに拡径している。したがって、第１ダクト壁部４２における第１保持壁部４４以外の部分の下面と、第１受圧壁部３０の下面とは、ほぼ面一である。また、第２ダクト壁部４３における第２保持壁部４５以外の部分の上面と、第２受圧壁部３１の上面とは、ほぼ面一である。したがって、実施例１のダクト構造体によると、通気抵抗の増大を抑制しつつ空調用ダクト２の内部に補強体３を配置できる。
【００３９】
実施例１のダクト構造体におけるダクト本体４は、ブロー成形されてなる。このためダクト本体４と補強体３とは別体で成形されている。補強体３は、ダクト本体４の第１端部４０からダクト本体４に差し込まれ、第１保持壁部４４と第２保持壁部４５との間に取り付けられている。したがって、補強体３のダクト本体４への取り付け作業効率を考慮すると、補強体３の位置（すなわち第１保持壁部４４および第２保持壁部４５の位置）は第１端部４０の近傍（すなわち、車両における車幅方向の中央部近傍）であるのが好ましい。また、インパネ１は車幅方向に長い部材である。このため、インパネ１を信頼性高く補強するためにも、補強体３を車幅方向の中央部近傍に配置するのが良い。実施例１のダクト構造体において、補強体３における軸方向の中心線と、車両における車幅方向の中心線と、の距離は１５０ｍｍである。取り付け作業効率を向上させ、インパネ１を信頼性高く補強するためには、この距離は３００ｍｍ以下であるのが好ましい。
【００４０】
（実施例２）
実施例２のダクト構造体は、補強体の形状以外は実施例１のダクト構造体と同じものである。実施例２のダクト構造体を図３と同位置で切断した様子を模式的に表す断面図を図４に示す。
【００４１】
実施例２のダクト構造体における補強体３は、１つのみの補強壁部３２を持ち断面略コ字状をなすこと以外は、実施例１のダクト構造体における補強体と同じものである。実施例２のダクト構造体における空調用ダクト２は、補強体３の補強壁部３２が１つのみであるために、実施例１のダクト構造体における空調用ダクトに比べて軽量であり、かつ、空調空気の流通抵抗が小さい。このため、実施例２のダクト構造体によると、空調用ダクト２の質量および流通抵抗の増大を抑制しつつ、空調用ダクト２によってインパネ１を補強できる。
【００４２】
（実施例３）
実施例３のダクト構造体は、補強体の形状以外は実施例１のダクト構造体および実施例２のダクト構造体と同じものである。実施例３のダクト構造体を図３と同位置で切断した様子を模式的に表す断面図を図５に示す。
【００４３】
実施例３のダクト構造体における補強体３は、１つのみの補強壁部３２を持ち断面略エ字状をなすこと以外は、実施例１のダクト構造体における補強体と同じものである。実施例３のダクト構造体における空調用ダクト２は、補強体３の補強壁部３２が１つのみであるために、実施例１のダクト構造体における空調用ダクトに比べて軽量であり、かつ、流通抵抗が小さい。
【００４４】
また、補強壁部３２は、第１受圧壁部３０および第２受圧壁部３１の幅方向の略中央部分に一体化されている。このため、実施例３のダクト構造体における第１受圧壁部３０は、実施例２のダクト構造体における第１受圧壁部に比べて変形し難い。換言すると、実施例３のダクト構造体における補強体３は、実施例２のダクト構造体における補強体に比べて変形し難い。よって実施例３のダクト構造体における空調用ダクト２はインパネ１をさらに信頼性高く補強できる。
【符号の説明】
【００４５】
１：インストルメントパネル        ２：空調用ダクト（サイドベントダクト）
３：補強体                        ４：ダクト本体
１０：リブ
４２：第１ダクト壁部              ４３：第２ダクト壁部
３０：第１受圧壁部                ３１：第２受圧壁部
３２：補強壁部
【図１】
2011068202.tif 000003
【図２】
2011068202.tif 000004
【図３】
2011068202.tif 000005
【図４】
2011068202.tif 000006
【図５】
2011068202.tif 000007